(57)【要約】【課題】作業者の生産性や熟練度などを測るのに利用されうるデータの提供【解決手段】  手術器具の管理システム１０では、第１記憶部１０１は、ユーザーに一対一で関連付けられたユーザーＩＤを記憶している。第２記憶部１０２は、手術器具に一対一で関連付けられた器具ＩＤを記憶している。第３記憶部１０３は、器具ＩＤと、器具ＩＤで特定される器具に対して実施された作業情報および作業時間と、ユーザーＩＤとが関連付けて記憶されるように構成されている。第１処理部２０１は、第３記憶部１０３に記憶されたユーザーＩＤと作業時間に基づいて、予め定められた期間Ｚ１におけるユーザーＩＤで特定されるユーザーの作業情報を抽出するように構成されている。【選択図】図１
2020024502.tif 000002
【特許請求の範囲】
【請求項１】
ユーザーに一対一で関連付けられたユーザーＩＤを記憶した第１記憶部と、
手術器具に一対一で関連付けられた器具ＩＤを記憶した第２記憶部と、
前記器具ＩＤと、前記器具ＩＤで特定される器具に対して実施された作業情報および作業時間と、前記ユーザーＩＤとが関連付けて記憶されるように構成された第３記憶部と、
前記第３記憶部に記憶されたユーザーＩＤと作業時間に基づいて、予め定められた期間Ｚ１におけるユーザーＩＤで特定されるユーザーの作業情報を抽出するように構成された第１処理部と
を備えた手術器具の管理システム。
【請求項２】
前記第１処理部は、前記予め定められた期間Ｚ１におけるユーザーの合計作業時間を得る、請求項１に記載された手術器具の管理システム。
【請求項３】
前記第１処理部は、前記予め定められた期間Ｚ１におけるユーザー毎の作業時間の割合を得る、請求項１に記載された手術器具の管理システム。
【請求項４】
前記第１記憶部は、ユーザーの作業単価を、前記ユーザーＩＤと関連付けてさらに記憶しており、
前記第１処理部は、前記ユーザーの作業情報と、前記ユーザーの作業単価とに基づいて、前記予め定められた期間Ｚ１におけるユーザーの作業コストを算出する、請求項２に記載された手術器具の管理システム。
【請求項５】
複数の器具で構成された手術セットに一対一で関連付けられたセットＩＤと、前記手術セットを構成する器具ＩＤとを関連付けて記憶した第４記憶部と、
前記セットＩＤで特定される手術セットを構成する器具に対して実施された作業情報を抽出する第２処理部と
を備えた、請求項１から４までの何れか一項に記載された手術器具の管理システム。
【請求項６】
前記第２処理部は、前記予め定められた期間Ｚ１における、前記セットＩＤで特定される手術セットに対するユーザーの作業時間を得る、請求項５に記載された手術器具の管理システム。
【請求項７】
前記第１記憶部は、ユーザーＩＤと、ユーザーの作業単価とを関連付けて記憶しており、
前記第２処理部は、前記手術セットに対するユーザーの作業情報と前記ユーザーの作業単価とに基づいて、前記予め定められた期間Ｚ１における手術セットに対する作業コストを算出する、請求項６に記載された手術器具の管理システム。
【請求項８】
前記期間Ｚ１を定めるように構成された第３処理部を備えた、請求項１から７までの何れか一項に記載された手術器具の管理システム。
【請求項９】
前記作業情報と、委託単価とを関連付けて記憶した第５記憶部と、
前記作業情報と、前記委託単価とに基づいて、前記作業情報で特定される作業の委託コストを得るように構成された第４処理部と
を、さらに備えた請求項１から８までの何れか一項に記載された手術器具の管理システム。
【請求項１０】
前記第４処理部は、前記第１処理部で得られた前記ユーザーの作業情報と前記委託単価とに基づいて、前記予め定められた期間Ｚ１における前記ユーザーの作業情報に応じた委託コストを算出する、
請求項９に記載された手術器具の管理システム。
【請求項１１】
前記器具は、個体情報を有し、
前記第２記憶部には、前記器具の個体情報と器具ＩＤとがさらに関連付けて記憶されており、
前記個体情報を読み取るためのリーダーと、
前記リーダーによって前記個体情報が検知された際に前記個体情報によって器具ＩＤが特定され、かつ、前記器具ＩＤと、前記器具ＩＤで特定される器具に対して実施された作業情報および作業時間と、前記ユーザーＩＤとが関連付けられて、前記第３記憶部に記憶するように構成された第５処理部と
をさらに備えた、請求項１から１０までの何れか一項に記載された手術器具の管理システム。
【請求項１２】
前記第３記憶部で記憶される手術器具に対して実施される作業の情報は、回収、洗浄、組立、滅菌、保管の各工程に区分された作業情報が含まれており、
前記回収、洗浄、組立、滅菌、保管の工程毎に作業情報を抽出する第６処理部を、さらに備えた請求項１から１１までの何れか一項に記載された手術器具の管理システム。
【請求項１３】
前記第１処理部は、前記工程毎に、前記予め定められた期間Ｚ１におけるユーザーＩＤで特定されるユーザーの作業情報を抽出するように構成された、請求項１２に記載された手術器具の管理システム。
【請求項１４】
前記第１処理部は、単位時間毎の作業数を得るように構成された、請求項１から１３までの何れか一項に記載された手術器具の管理システム。
【発明の詳細な説明】
【技術分野】
【０００１】
本発明は、手術器具の管理システムに関する。
【背景技術】
【０００２】
特開２００３−１６１９８号公報には、診察、手術、検査などで使用される小物に個々に識別コードを設け、当該識別コードを読み取る装置を備えた装置が提案されている。管理装置のデータベースには、予め患者に関するデータ、その患者を担当する医師のデータ、鋼製小物の在庫データ等が医療データとして記憶されている。そして、患者に対して手術または治療等の医療行為がなされた後、管理装置のデータベース上に記憶された医療データと読み取ったデータとが比較される。
【０００３】
特開２００９−７２３３８号公報には、１回の使用ごとに洗浄し、繰り返し使用する医療機器の管理システムが開示されている。ここでは、内視鏡の状態に応じて表示部の色を変えることが開示されている。
【０００４】
特開２０１２−２１５９９０号公報には、医療器材のピッキング作業を支援するための装置が提案されている。具体的には、医療器材の識別子および医療器材の画像を格納した記憶部と、相互に類似する医療器材の識別子を互いに関連付けて格納する記憶部とを備えている。同公報で提示される装置は、ユーザーによって指定された医療器材の画像と、その医療器材と類似する医療器材の画像とが並べて表示されるように構成されている。
【０００５】
特開２０１３−１１６２３４号公報には、医療器具の所在を管理する装置が開示されている。ここで開示されている装置では、機器情報取得部は、医療施設内の複数箇所に設置されたタグ読取装置から、医療機器に付された識別タグの読取情報を含む機器情報を取得する。ステータス保持部は、取得された機器情報により特定される医療機器の所在を含む医療機器のステータスを保持する。表示制御部は、ステータス保持部に保持される医療機器のステータスを表示装置に表示させる。表示制御部は、医療機器の内、医療行為に使用中の医療機器を非表示にする。
【０００６】
特開２０１５−１９７７３５号公報には、一般医療スタッフの参考となるガイダンス情報を配信することができる装置が提案されている。ここで提案される装置は、熟練医療スタッフによる医療行為の内容を表す医療作業情報をガイダンス情報としている。そして、一般医療スタッフからの要求に応じて、ガイダンス情報を配信している。
【０００７】
実用新案登録第３１９９６１４号公報には、手術器具管理システムが開示されている。ここで開示されたシステムは、手術器具に関する外観写真を記録する。バーコード情報を用いて、手術前に準備された手術器具の資産番号一覧を作成する。次に、手術後に回収された手術器具の識別図柄を読み取る。また、手術器具の外観写真を表示させると共に、手術後に回収された手術器具に関する資産番号が、手術前に準備された手術器具に関する資産番号と一致するか否かを判断する。
【先行技術文献】
【特許文献】
【０００８】
【特許文献１】特開２００３−１６１９８号公報
【特許文献２】特開２００９−７２３３８号公報
【特許文献３】特開２０１２−２１５９９０号公報
【特許文献４】特開２０１３−１１６２３４号公報
【特許文献５】特開２０１５−１９７７３５号公報
【特許文献６】実用新案登録第３１９９６１４号公報
【発明の概要】
【発明が解決しようとする課題】
【０００９】
ところで、手術器具は、手術後、回収、洗浄、組立、封止、滅菌、保管の順で概ね管理されており、滅菌後に保管されている器具が再び手術で用いられている。病院などでは、多くの種類の器具や手術セットを、それぞれ複数保有し、保管されている器具や手術セットを取り出して使用している。手術器具の管理では、作業者の生産性や熟練度などを測るためのデータを提供しうるシステムは提案されていない。
【課題を解決するための手段】
【００１０】
ここで提案される手術器具の管理システムは、例えば、第１記憶部と、第２記憶部と、第３記憶部と、第１処理部とを備えている。ここで、第１記憶部は、ユーザーに一対一で関連付けられたユーザーＩＤを記憶している。第２記憶部は、手術器具に一対一で関連付けられた器具ＩＤを記憶している。第３記憶部は、器具ＩＤと、器具ＩＤで特定される器具に対して実施された作業情報および作業時間と、ユーザーＩＤとが関連付けて記憶されるように構成されている。第１処理部は、第３記憶部１０３に記憶されたユーザーＩＤと作業時間に基づいて、予め定められた期間Ｚ１におけるユーザーＩＤで特定されるユーザーの作業情報を抽出するように構成されている。
【発明の効果】
【００１１】
かかる手術器具の管理システムによれば、予め定められた期間Ｚ１におけるユーザーの作業情報が抽出される。これを基に、例えば、作業者の生産性や熟練度などを測るためのデータが提供されうる。
【図面の簡単な説明】
【００１２】
【図１】図１は、手術器具の管理システム１０の概略図である。
【図２】図２は、システム１０の適用例を示す概略図である。
【図３】図３は、ユーザーＩＤを記憶した第１記憶部１０１としてのデータベースの構成例を示す図である。
【図４】図４は、第２記憶部１０２と第４記憶部１０４を１つに纏めたデータベース４００の構成例を示す図である。
【図５】図５は、回収エリアＡ２での作業情報を記録したテーブル４２０を示す図である。
【図６】図６は、滅菌エリアＡ５での作業情報を記録したテーブル４４０を示す図である。
【図７】図７は、リペアエリアＡ７での作業情報を記録したテーブル４６０を示す図である。
【図８】図８は、このシステム１０で提供されるダッシュボードを示す図である。
【図９】図９は、外部委託者と、委託作業情報と、委託単価とが関連付けられて予め記憶されたマスターデータの構成例を示す図である。
【図１０】図１０は、単位時間毎の作業数をグラフ化したグラフを含む情報表示画面の一例を示す図である。
【発明を実施するための形態】
【００１３】
以下、図面を参照しながら、本発明の一実施形態に係る手術器具の管理システムを説明する。なお、ここで説明される実施形態は、当然ながら本発明を限定することを意図したものではない。
【００１４】
ここで、手術セットは、一回の手術あるいは手術の一工程で使われる複数の医療器具からなる１つの纏まりである。ここで、医療器具は、適宜に、器具と称される。
手術セットの器具には、例えば、トラカール、鉗子、切開装置、洗浄吸引装置、剪刃（クーパー）、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、ノミ、鋭匙、剥離子、鏡、縫合針、スタンツェ、受水器、針、圧子、ブジー、通気管、骨片打込器、リウエル、ラジオペンチ、ハンマー、角度計、スポイト、浣腸器、シリンジなどがある。
【００１５】
医療器具には、複数の構成部品で構成された器具がある。例えば、腹腔鏡外科手術で用いられるトラカール、鉗子、切開装置、洗浄吸引装置などは、複数の構成部品からなり、手術後に回収され、複数の構成部品に分解される。ここでは、医療器具を構成する部品を構成部品という。また、構成部品がさらに複数の構成部品からなる場合があるが、このような場合は全て構成部品と称する。
【００１６】
このような医療器具および医療器具の構成部品は、それぞれ洗浄作業が決められている。このため、医療器具および器具の構成部品は、手術後に回収されてそれぞれ指定された洗浄作業毎に振分けられて、それぞれ洗浄工程に回送される。洗浄後、複数の構成部品からなる器具は組立てられ、また、手術セット毎、あるいは、医療器具毎に分けられて所定の容器に入れられて封止される。その後、指定された滅菌方法で滅菌されて、次に使用されるまで保管される。このように、手術セットの使用では、手術→回収（振分け）→洗浄→組立（封止）→滅菌→保管→手術という工程が繰り繰り返される。手術セットや手術器具は、手術後、回収、洗浄、組立、封止、滅菌、保管の工程を経る。このため、多くの病院では、多くの種類の手術セットや手術器具を、それぞれ複数保有し、保管されている手術セットや手術器具を取り出して使用している。
【００１７】
さらに、手術セットおよび手術器具は、刃こぼれなどで切れ味が悪くなったり、鉗子のかみ合わせが悪くなったりした場合に、修理に出される場合がある。あるいは、定期的な点検に出され、必要な処置が施される。修理や点検は、病院外の専門の業者によって行われる。専門の業者に出された器具や手術セットは、手術、回収、洗浄、組立、封止、滅菌、保管の工程から外れる。
【００１８】
このように、修理や点検作業を含めると、手術器具の管理には、いろいろな作業がある。このため、作業管理は煩雑であり、各作業者がどの作業にどのように携わっているかを把握することや、各作業者の生産性を把握することが難しい。ここで提案される手術器具の管理システムは、例えば、手術器具を管理する作業者の作業や生産性を適切にかつ効率良く管理するのに用いられうる。
【００１９】
図１は、手術器具の管理システム１０（本明細書において、適宜に「システム１０」と称される。）の概略図である。図１に示された形態では、システム１０は、ハードウェア構成として、リーダー１１と、表示装置１２と、操作端末１３と、処理装置１００とを備えている。なお、システム１０のハードウェア構成は、図１の形態に限定されない。システム１０の各種処理は、例えば、操作端末１３と処理装置１００において、ソフトウェアとハードウェアとの協働として具現化される。
【００２０】
ここで提案されるシステム１０は、図１に示されているように、第１記憶部１０１〜第５記憶部１０５と、第１処理部２０１〜第６処理部２０６とを備えている。なお、システム１０は、ここで説明される第１記憶部１０１〜第５記憶部１０５および第１処理部２０１〜第６処理部２０６に限らず、所要の記憶部と処理部を適宜に備えているとよい。
【００２１】
このうち、第１記憶部１０１は、ユーザーに一対一で関連付けられたユーザーＩＤを記憶している。
第２記憶部１０２は、手術器具に一対一で関連付けられた器具ＩＤを記憶している。
第３記憶部１０３は、器具ＩＤと、器具ＩＤで特定される器具に対して実施された作業情報および作業時間と、ユーザーＩＤとが関連付けて記憶されるように構成されている。
第１処理部２０１は、第３記憶部１０３に記憶されたユーザーＩＤと作業時間に基づいて、予め定められた期間Ｚ１におけるユーザーＩＤで特定されるユーザーの作業情報を抽出するように構成されている。
かかるシステム１０によれば、予め定められた期間Ｚ１におけるユーザーの作業情報が抽出される。
【００２２】
このシステム１０では、例えば、手術→回収（振分け）→洗浄→組立（封止）→滅菌→保管→手術のサイクルにおける各工程において、器具ＩＤで特定される器具の作業履歴が、ユーザーＩＤに関連付けて適宜に記録される。さらに、手術器具の作業履歴に、リペア作業の作業情報が適宜に含められるように構成されている。以下、システム１０の適用例を例示する。
【００２３】
〈エリアＡ１〜Ａ７〉
図２は、システム１０の適用例を示す概略図である。図２に示された形態では、手術エリアＡ１、回収エリアＡ２、洗浄エリアＡ３、組立エリアＡ４、滅菌エリアＡ５および保管エリアＡ６、リペアエリアＡ７の各エリアＡ１〜Ａ７に区分けされている。
システム１０では、各エリアＡ１〜Ａ７に関連付けられて「エリアＩＤ」とも称されうる識別ＩＤが割り当てられる。各エリアＡ１〜Ａ７とエリアＩＤとは、関連付けられてマスターデータに記憶されているとよい。
【００２４】
手術エリアＡ１は、医師や看護師によって器具や手術セットが使用されるエリアであり、手術や診察が行われるエリアである。
回収エリアＡ２は、手術エリアＡ１から手術セットおよび手術器具が回収されるエリアである。ここでは、手術セットは、手術器具毎にばらばらに回収されうる。
洗浄エリアＡ３は、手術セットおよび手術器具を洗浄するエリアである。ここでは、手術器具は、部品毎に分解されて洗浄されうる。
組立エリアＡ４は、洗浄された手術セットおよび手術器具を組立て、所定の容器や袋に梱包するエリアである。
滅菌エリアＡ５は、手術セットおよび手術器具を滅菌するエリアである。手術セットおよび手術器具は、所定の容器や袋に梱包された状態で滅菌される。
保管エリアＡ６は、滅菌された手術セットおよび手術器具を保管するエリアである。
リペアエリアＡ７は、器具や手術セットが修理されたり、点検されたりするエリアである。
【００２５】
ここで、リペアエリアＡ７で実施される作業は、修理に限定されず、点検などのメンテナンス作業も含まれうる。このように、手術器具が修理や点検に出された場合には、システム１０では、修理や点検を区別せずにリペアエリアという概念により、手術器具の状態が区分される。
【００２６】
なお、この実施形態では、手術エリアＡ１、回収エリアＡ２、洗浄エリアＡ３、組立エリアＡ４、滅菌エリアＡ５、保管エリアＡ６およびリペアエリアＡ７に区分されているが、かかる形態に限定されない。
各エリアＡ１〜Ａ７は、それぞれ所定の作業が行われる場所で規定されうるが、必ずしも所定の作業が行われる場所と一致しない。例えば、手術器具の管理システムにおいて、例えば、手術エリアなど、作業管理の対象となるユーザーの作業が生じないような一部のエリアは省略されてもよい。
【００２７】
例えば、洗浄や組立や滅菌やリペア（修理、点検）などの作業は、手術などとは異なる専門の業者が行う場合がある。このような場合、洗浄エリアＡ３や組立エリアＡ４や滅菌エリアＡ５やリペアエリアＡ７は、手術エリアＡ１や回収エリアＡ２や保管エリアＡ６などとは異なる施設に設けられうる。手術エリアＡ１や回収エリアＡ２や保管エリアＡ６についてもそれぞれ異なる場所に設けられうる。
このシステム１０では、複数の病院で使われる手術セットや器具を纏めて管理することが可能である。このような場合、各エリアＡ１〜Ａ７は、複数の病院においてそれぞれ設置されうる。このように、各エリアＡ１〜Ａ７は、１つの場所に限らない。
【００２８】
特に、リペア作業は、病院外の他の場所で行われる場合がある。例えば、器具や手術セットは、使用によって刃こぼれや、鉗子などの挟み合わせやかみ合わせや可動部の引っ掛かりなどが生じる。このような場合には、外部業者に修理が委託される。
図２に示された形態では、リペアエリアＡ７は、１つのエリアで設定されているが、リペアエリアＡ７が設定される場所は、１つの場所に限定されない。実際には、修理や点検などの作業の種類によって委託される業者が異なっている場合がありうる。
【００２９】
この実施形態では、図２に示されているように、各エリアＡ１〜Ａ７には、読取装置としてのリーダー１１ａ〜１１ｇや操作端末１３ａ〜１３ｇが配置されている。システム１０上は、各エリアＡ１〜Ａ７に配置されたリーダー１１ａ〜１１ｇや操作端末１３ａ〜１３ｇが、各エリアＡ１〜Ａ７に関連付けられているとよい。例えば、リーダー１１ａ〜１１ｇや操作端末１３ａ〜１３ｇで入力された情報が、各エリアＡ１〜Ａ７で入力された情報として、各エリアＡ１〜Ａ７に割り当てられたＩＤ記録されるようにシステム１０が構成されているとよい。
【００３０】
〈システム１０〉
システム１０は、図２に示されているように、処理装置１００および各エリアＡ１〜Ａ７に配置された操作端末１３ａ〜１３ｇおよびリーダー１１ａ〜１１ｇによって具現化されている。操作端末１３ａ〜１３ｇおよび処理装置１００は、表示装置１２ａ〜１２ｈをそれぞれ備えている。本明細書において、リーダー１１ａ〜１１ｇ、表示装置１２ａ〜１２ｈおよび操作端末１３ａ〜１３ｇを区別する必要がない場合には、単に「リーダー１１」、「表示装置１２」および「操作端末１３」と称する。
【００３１】
〈リーダー１１〉
各エリアＡ１〜Ａ７に配置されたリーダー１１ａ〜１１ｇは、手術セットの器具、器具の構成部品に組み込まれた個体情報、あるいは、器具や手術セットを収容する袋や容器に付された個体情報を読み取る装置である。
【００３２】
〈個体情報〉
ここで、個体情報は、所定の形態の二次元シンボルであり得る。例えば、手術セットの器具に用いられる個体情報としては、二次元バーコードや、ＲＦＩＤのような非接触タグや、器具表面に形成される刻印などで具現化されうる。また、刻印には、レーザー刻印や、打刻による形成ができる。
【００３３】
打刻による二次元シンボルの形成には、例えば、メタルプリンター（例えば、ローランドディー．ジー．株式会社製  ＭＰＸ−９５など）が用いられうる。このようなメタルプリンターによれば、例えば、１ｍｍ〜４ｍｍ角程度の微細な大きさでデータマトリックスを形成することが可能である。打刻による二次元シンボルは、器具表面を凹ますことによって形成されている。器具表面のメッキ被膜などに傷が付きにくく、二次元シンボルを付けたことによって器具が錆び難い。また、メタルプリンターなどの発達によって、二次元シンボルが形成されていない既存の器具にも適用でき、二次元シンボルをユーザーで設定して付与することができる。
【００３４】
また、組立エリアＡ４、滅菌エリアＡ５あるいは保管エリアＡ６では、例えば、器具は適宜に単品で個包装された状態であり、手術セットは纏めて袋や容器に収容された状態である。この場合、器具や手術セットを収容する袋や容器には、二次元シンボルなどの個体情報が付されているとよい。
【００３５】
リーダー１１ａ〜１１ｇは、二次元シンボルを検知するための検知部を備えているとよい。二次元シンボルを検知するための検知部には、例えば、カメラやＣＣＤイメージセンサなどが挙げられる。リーダー１１ａ〜１１ｇの検知部に、器具や構成部品に付された個体情報（例えば、打刻された二次元シンボル）を向けることで、当該器具や構成部品に割り当てられた個体情報が読み取られる。また、器具や手術セットが袋や容器に入れられている場合には、袋や容器に付された個体情報をリーダー１１ａ〜１１ｇに向けることで、当該個体情報が読み取られる。
【００３６】
〈操作端末１３,処理装置１００〉
図２では、操作端末１３ａ〜１３ｇや処理装置１００として、ラップトップ型の端末が図示されているが、端末の形態には限定されず、例えば、タブレット型端末や据え置き型の端末であってもよい。
【００３７】
操作端末１３ａ〜１３ｇは、処理装置１００と協働してこのシステム１０の各種処理を具現化するように構成されているとよい。この実施形態では、処理装置１００は、このシステム１０の各処理の基幹となるホストコンピュータとして機能しうる。操作端末１３ａ〜１３ｇは、処理装置１００と連携し、このシステム１０のクライアントコンピュータとして機能しうる。また、処理装置１００や操作端末１３ａ〜１３ｇは、通信ネットワーク１４を通じて、記憶装置に繋がっているとよい。そして、処理装置１００や操作端末１３ａ〜１３ｇの記憶装置には、適宜に情報が書き込まれ、かつ、情報が記憶装置から取り出されるように構成されているとよい。
【００３８】
操作端末１３ａ〜１３ｇおよび処理装置１００は、演算装置（プロセッサ、ＣＰＵ（Central Processing Unit）、ＭＰＵ（Micro-processing unit）とも称される）と、記憶装置（メモリーやハードディスクなど）とを備えている。操作端末１３ａ〜１３ｇおよび処理装置１００の各機能は、記憶装置に記憶されたソフトウェアとの協働によって処理によって具現化される。例えば、操作端末１３ａ〜１３ｇおよび処理装置１００の各構成および処理は、所定の演算処理を行う処理モジュールとして、若しくは、データとして、または、それらの一部として具現化されうる。処理モジュールは、具体的には、それぞれプログラムである。
【００３９】
図１では、処理装置１００や操作端末１３ａ〜１３ｇは、それぞれデータを記憶する記憶領域１２０と、処理モジュールを記憶する記憶領域１４０とを備えている。
データを記憶する記憶領域１２０には、上述した記憶部１０１〜１０５の他、各種のマスターデータや、リーダー１１ａ〜１１ｇや操作端末１３ａ〜１３ｇによって取得される各種データなどが記憶される。
処理モジュールを記憶する記憶領域１４０には、システム１０の処理モジュールが適宜に記憶されている。記憶領域１４０に記憶された処理モジュールは、上述した処理部２０１〜２１０に限らない。処理装置１００や操作端末１３ａ〜１３ｇは、例えば、記憶領域１４０に記憶された処理モジュールを適宜に呼び出して実行するように構成されているとよい。ここで、データを記憶する記憶領域１２０は、例えば、処理装置１００や操作端末１３ａ〜１３ｇとは別体のデータサーバーで構成されていてもよい。
【００４０】
操作端末１３ａ〜１３ｇおよび処理装置１００は、それぞれ単一の装置で具現化してもよいし、複数の装置が協働で処理装置としての機能を奏するものでもよい。つまり、図１では、処理装置１００は、１つの装置のように図示されているが、１つの装置であることに限定されない。
【００４１】
操作端末１３ａ〜１３ｇおよび処理装置１００は、ディスプレイとして機能する表示装置１２ａ〜１２ｈを備えている。表示装置１２ａ〜１２ｈは、操作端末１３ａ〜１３ｇおよび処理装置１００に組み込まれたプログラムに従って画像を表示するように構成されている。表示装置１２ａ〜１２ｈは、それぞれタッチパネルで構成されていてもよい。表示装置１２ａ〜１２ｈがタッチパネルで構成されている場合には、例えば、ユーザーが表示装置１２の画面に触れることで操作されるようにシステム１０が構成されているとよい。
【００４２】
リーダー１１ａ〜１１ｇと、操作端末１３ａ〜１３ｇと、処理装置１００とは、双方向においてデータ通信可能に接続されているとよい。図２に示された形態では、リーダー１１ａ〜１１ｇと、操作端末１３ａ〜１３ｇと、処理装置１００とは、通信ネットワーク１４を通じてデータ通信可能な状態で連携している。各操作端末１３ａ〜１３ｇ、リーダー１１ａ〜１１ｇ、および、処理装置１００は、例えば、ルーター（図示省略）を通じて構築される無線通信ネットワークやＬＡＮケーブルなどの有線通信ネットワークによって相互に情報通信が可能な状態で接続されているとよい。
【００４３】
〈表示装置１２〉
図２に示された操作端末１３ａ〜１３ｇのディスプレイ１２ａ〜１２ｇおよび処理装置１００のディスプレイ１２ｈは、それぞれ図１に示された表示装置１２として機能する。図２に示された形態では、操作端末１３ａ〜１３ｇと処理装置１００とは、協働してシステム１０の処理装置１００（図１参照）として機能する。図１および図２に示された形態では、システム１０は、複数の装置によって具現化されている。システム１０では、操作端末１３ａ〜１３ｇや処理装置１００などの複数台のパソコンが連携している。システム１０は、離れた複数の場所で異なる複数のユーザーによって同時に並行して利用される。そして、多くの手術セットや器具が複数の工程で並行して管理される。
【００４４】
〈リーダー１１等の配置〉
図２では、各エリアＡ１〜Ａ７に、リーダー１１、表示装置１２および操作端末１３がそれぞれ１つずつ配置されているが、リーダー１１、表示装置１２および操作端末１３の配置は、図２で示された形態に限定されない。
【００４５】
各エリアＡ１〜Ａ７は、実際上の場所が重複していてもよい。例えば、手術や診療が行われている場所と同じ場所で回収が行われる場合には、手術エリアＡ１と回収エリアＡ２の場所が重複していてもよい。この場合、リーダー１１や表示装置１２や操作端末１３が手術エリアＡ１と回収エリアＡ２とで共通していてもよい。また、操作端末１３の機能や設定が、例えば、ソフトウェア上の処理によって各エリアＡ１〜Ａ７に応じて切り替えられるように構成されているとよい。例えば、操作端末１３は、手術エリアＡ１に応じた機能および設定と、回収エリアＡ２に応じた機能および設定とに、予め定められた操作で適宜に切り替えられるように構成されているとよい。
【００４６】
システム１０は、さらに多くのリーダー１１と表示装置１２と操作端末１３を備えていてもよい。反対に、全てのエリアＡ１〜Ａ７にリーダー１１と表示装置１２と操作端末１３がそれぞれ配置されていなくてもよい。また、各エリアＡ１〜Ａ７では異なるエリアにおいて、リーダー１１、表示装置１２および操作端末１３が共有されていてもよい。
【００４７】
例えば、小規模の病院では、手術→回収（振分け）→洗浄→組立（封止）→滅菌→保管が限られたスペースで行われている。このような場合は、各エリアＡ１〜Ａ６のリーダー１１ａ〜１１ｇや操作端末１３ａ〜１３ｆおよび処理装置１００の各種機能が、１つのリーダーと１つの操作端末に集約されてもよい。このように、システム１０は、スタンドアローン型の装置として構成されうる。また手術室がいくつもある大規模病院などでは、システム１０は、処理装置１００を各エリアの操作端末１３を双方向に通信可能な状態で接続するとよい。この場合、システム１０は、処理装置１００をホストサーバーとし、各エリアの操作端末１３をクライアントとするクライアントサーバー型のシステムとして構築されてもよい。また、システム１０は、離れた複数の病院や施設において運用されるクラウド型システムとしても構築されうる。この場合、システム１０は、例えば、処理装置１００をデータセンターとし、処理装置１００に各種データを集約し、ｗｅｂブラウザなどを通じて離れた複数の病院や施設に配置された操作端末１３によって、システム１０の各種機能が利用可能なシステムとして構築されてもよい。
【００４８】
また、図２に示された形態では、手術エリアＡ１にリーダー１１ａや操作端末１３ａが配置されている。システム１０において、手術エリアＡ１にリーダー１１ａや操作端末１３ａが配置されていなくてもよい。例えば、保管エリアＡ６と回収エリアＡ２に、リーダー１１ｂ、１１ｆや操作端末１３ｂ〜１３ｆがあれば、手術エリアＡ１にはリーダー１１ａや操作端末１３ａは無くてもよい。この場合、手術エリアＡ１の作業情報は、保管エリアＡ６と回収エリアＡ２とで入力されるように構成されているとよい。
【００４９】
また、洗浄作業や組立作業や滅菌作業やリペア作業などは、病院外の専門の業者によって作業される場合がある。このような外部業者は、システム１０に関与しない場合もありうる。このため、洗浄エリアＡ３や組立エリアＡ４や滅菌エリアＡ５やリペアエリアＡ７などには、リーダー１１や表示装置１２や操作端末１３は、配置されていない場合がありうる。このうち、洗浄エリアＡ３や組立エリアＡ４や滅菌エリアＡ５は、手術→回収（振分け）→洗浄→組立（封止）→滅菌→保管という通常使用のサイクルである。このため、定常的に実施される作業であり、作業内容や費用が予見しうる。
しかし、器具や手術セットの修理のようなリペア作業は、手術→回収（振分け）→洗浄→組立（封止）→滅菌→保管という通常使用のサイクルから外れ、不定期あるいは突発的に発生しうる。このため、将来的に発生しうるリペア作業の作業内容や費用は、予見されにくい。
【００５０】
リペア作業には、例えば、回収エリアＡ２や組立エリアＡ４などから手術セットや器具が修理や点検に出される。
リペアエリアＡ７は、外部の専門業者に設定され、リペアエリアＡ７にリーダー１１や操作端末１３が配置され得ない場合もありうる。このため、図２の形態に限定されず、リペアエリアＡ７には、リーダー１１ｇや操作端末１３ｇが無くてもよい。
例えば、リペアエリアＡ７では、他のエリアからリペアエリアＡ７に器具や手術セットが送られる。そして、リペアエリアＡ７での作業が終了すると、リペアエリアＡ７から他のエリアに器具や手術セットが戻される。このため、他のエリアに、リーダー１１や操作端末１３があれば、リペアエリアＡ７に手術セットや器具が送られたことや、リペアエリアＡ７から器具や手術セットが返ってきたことが管理されうる。リペアエリアＡ７での作業内容についての情報は、例えば、器具や手術セットを送るエリアや器具や手術セットが戻されたエリアで入力されうる。作業情報の入力に関し、洗浄エリアＡ３や組立エリアＡ４や滅菌エリアＡ５の作業が外部の業者に委託される場合も同様である。つまり、洗浄エリアＡ３や組立エリアＡ４や滅菌エリアＡ５から戻されたエリアにおいて、作業情報が入力されるように構成されてもよい。
【００５１】
〈システム１０の構成〉
このシステム１０は、例えば、図１に示されているように、第１記憶部１０１〜第５記憶部１０５と、第１処理部２０１〜第６処理部２０６とを備えている。
【００５２】
このシステム１０において、各処理部の処理は、処理装置１００および操作端末１３ａ〜１３ｇのうち何れの装置によって処理されてもよい。また、各記憶部によって記憶された情報は、例えば、ホストコンピュータとしての処理装置１００によって管理され、各操作端末１３ａ〜１３ｇに共有されるように構成されているとよい。
【００５３】
〈第１記憶部１０１〉
第１記憶部１０１は、ユーザーに一対一で関連付けられたユーザーＩＤを記憶している。つまり、このシステム１０では、ユーザーは、例えば、作業者を意味する。ユーザーＩＤは、作業者を一対一で特定するために、作業者に割り当てられているとよい。ユーザーＩＤは、作業者に配布されたネームタグなどに取付けられた二次元コードや、作業者個人の生体認証などを通じて特定されるように構成されているとよい。
図３は、ユーザーＩＤを記憶した第１記憶部１０１としてのデータベースの構成例を示す図である。図３に示されたデータベース４１０では、ユーザーＩＤを記憶する欄４１１，ユーザー名を記憶する欄４１２，所属を記録する欄４１３，４１４，作業単価を記録する欄４１５，４１６が用意されているとよい。所属を記録する欄は、複数設けられているとよい。所属を記録する欄４１３，４１４には、例えば、ユーザーが所属する病院や診療科が記録されているとよい。作業単価を記録する欄４１５，４１６には、ユーザーの作業単価が記録されているとよい。ここで、作業単価は、単位時間当たりに設定された単価であってもよいし、予め定められた作業に対して設定された単価であってもよい。また、作業単価が、作業者の熟練度合いや職位などで評価される場合には、作業者の熟練度を測る指標や職位などが記録されていてもよい。予め定められた作業としては、例えば、リーダー１１ａ〜１１ｇによって手術器具の個体情報を読み取らせることに対して、単価が設定されていてもよい。
【００５４】
〈第２記憶部１０２〉
第２記憶部１０２は、手術器具に一対一で関連付けられた器具ＩＤを記憶している。
このシステム１０では、器具ＩＤは、一対一で特定の器具に対応している。この実施形態では、器具には、上述のようにリーダー１１ａ〜１１ｇで読み取り可能な個体情報が付されている。第２記憶部１０２には、器具に付された個体情報と、器具ＩＤとが関連付けられて記憶されているとよい。このシステム１０は、リーダー１１ａ〜１１ｇで個体情報が読み取られた際に器具に一対一で関連付けられた器具ＩＤが特定されるように構成されているとよい。
【００５５】
また、器具はさらに複数の構成部品で構成されている場合がある。このシステム１０では、器具を構成する構成部品にも部品ＩＤが付与されている。部品ＩＤは、一対一で特定の器具および器具の構成部品に対応している。このシステム１０では、手術セットの器具および器具の構成部品は、それぞれ部品ＩＤでも特定されうる。この場合、部品にも個体情報が付されているとよく、リーダー１１ａ〜１１ｇで個体情報が読み取られた際に部品に一対一で関連付けられた部品ＩＤおよび器具ＩＤが特定されるように構成されているとよい。このように、器具や部品に付された個体情報をリーダー１１で読み取ることによって、器具や部品が特定される。これにより、同じ器具や部品でも、個体を間違えることなく作業情報を入力することができる。
【００５６】
〈第３記憶部１０３〉
第３記憶部１０３は、器具ＩＤと、器具ＩＤで特定される器具に対して実施された作業情報および作業時間と、ユーザーＩＤとが関連付けて記憶されるように構成されている。
【００５７】
ここで、「作業情報」は、各作業の情報であり、作業内容に応じて予めコード化されているとよい。作業内容とコード化された情報は、マスターデータとして記憶されているとよい。かかる第３記憶部１０３には、例えば、作業内容および作業日時がユーザーＩＤと関連付けられて記憶されているとよい。
【００５８】
〈第４記憶部１０４〉
第４記憶部１０４は、複数の器具で構成された手術セットに一対一で関連付けられたセットＩＤを記憶している。つまり、このシステム１０では、手術セットに一対一で関連付けられたセットＩＤが付与されており、セットＩＤによって手術セットが特定される。
【００５９】
なお、この実施形態では、手術セットに一対一で関連付けられたセットＩＤと、当該手術セットに属する器具の器具ＩＤと、当該手術セットに属する構成部品の部品ＩＤとをさらに関連付けて記憶している。つまり、セットＩＤが特定されると、当該セットＩＤで特定される手術セットに属する器具の器具ＩＤおよび構成部品の部品ＩＤが特定される。また、器具ＩＤが特定されると、当該器具が属する手術セットのセットＩＤが特定される。
【００６０】
また、器具が構成部品を備えている場合には、器具ＩＤから当該器具に属する構成部品の部品ＩＤが特定される。また、構成部品の部品ＩＤが特定されると、当該構成部品が属する器具の器具ＩＤが特定される。さらに当該器具が手術セットに属している場合には、構成部品の部品ＩＤが特定されると、当該部品ＩＤに関連付けられた手術セットのセットＩＤが特定される。例えば、第２記憶部１０２には、器具に付された個体情報と、器具ＩＤと、セットＩＤとが関連付けられて記憶されているとよい。このシステム１０は、リーダー１１ａ〜１１ｇで個体情報が読み取られた際に、器具ＩＤおよびセットＩＤが特定されるように構成されているとよい。さらに、システム１０は、部品に付された個体情報がリーダー１１ａ〜１１ｇによって読み取られた際に、セットＩＤが特定されるように構成されているとよい。
【００６１】
ここで、器具ＩＤを記憶した第２記憶部１０２とセットＩＤを記憶した第４記憶部１０４とは、それぞれ独立したデータベースで構成されてもよい。また、第２記憶部１０２と第４記憶部１０４は、１つのデータベースで構成されてもよい。図４は、第２記憶部１０２と第４記憶部１０４を１つに纏めたデータベース４００の構成例を示す図である。図４では、セットＩＤを記憶する欄４０１，手術セット名を記憶する欄４０２，器具ＩＤを記憶する欄４０３，器具名を記憶する欄４０４，部品ＩＤを記憶する欄４０５，個体情報としてのＧＳ１コードを記憶する欄４０６，手術セットや器具や部品の画像ファイルを記憶する欄４０７、所属に関する情報を記憶する欄４０８，４０９が設けられており、それぞれが関連付けられて記憶されている。画像ファイルには、手術セット、器具または構成部品の画像が納められている。システム１０は、表示装置１２（図１参照）を通じて適宜に画像が表示されるように構成されうる。
【００６２】
図４に示されている形態のように、第２記憶部１０２は、器具ＩＤが付与された器具のうち手術セットを構成する器具には、器具ＩＤに関連付けてセットＩＤが記憶されているとよい。これにより、手術セットを構成する器具では、器具ＩＤが特定されると、手術セットのセットＩＤが特定される。
【００６３】
また、所属に関する情報が器具ＩＤやセットＩＤに関連付けて記憶されている。ここで所属に関する情報は、例えば、病院であれば、外科や内科などの診療科を区別するための情報で規定されうる。また、複数の病院の器具や手術セットを合わせて管理するような場合には、所属に関する情報には、病院を区別するための情報が含まれる。このように、所属に関する情報は、いくつかの階層で複数の情報が含まれていてもよい。例えば、図４に示された例では、所属１には、病院、所属２には、診療科の情報が含まれている。所属に関する情報は、これに限らず、例えば、器具や手術セットのメーカーや型式など、病院や診療科などとは異なる観点の情報が含まれていてもよい。このように所属に関する情報は、器具や手術セットを分類するための情報であり得る。
【００６４】
〈第５記憶部１０５〉
第５記憶部１０５は、作業情報と委託単価とを関連付けて記憶している。
上述のように洗浄作業や組立作業や滅菌作業やリペア作業などは、病院外の専門の業者によって作業される場合がある。第５記憶部１０５は、このような外部へ委託する作業について、業者に委託する作業の作業情報と、委託単価とを関連付けて記憶していると良い。ここで、委託単価は、当該業者に委託する作業に設定されたコストであるよい。
【００６５】
図４に示されているように、このシステム１０では、セットＩＤ、器具ＩＤ、部品ＩＤ、および、これらに関連付けられた個体情報や画像データや所属に関する情報などは、マスターデータとして予め記憶されているとよい。マスターデータとして記憶される情報は、図４に列挙される項目に限定されない。例えば、作業者を特定するためのユーザーＩＤを記憶する第１記憶部１０１についても、システム１０においてマスターデータとして予め記憶されているとよい。ユーザーＩＤについても、リーダー１１ｂで読み取り可能な情報で特定されるように構成されているとよい。
また、各エリアＡ１〜Ａ７やリーダー１１ａ〜１１ｇや操作端末１３ａ〜１３ｇや処理装置１００にも、個体情報が割り当てられており、システム１０においてマスターデータとして予め記憶されているとよい。
また、洗浄方法や、滅菌や保管に用いられる梱包材や、滅菌方法なども、適宜に、システム１０においてマスターデータとして予め記憶されているとよい。
第５記憶部１０５に記憶される作業情報と委託単価についても、マスターデータとして予め記憶されているとよい。
【００６６】
この実施形態では、予め定められた作業スペースとしての各エリアＡ１〜Ａ７にそれぞれリーダー１１ａ〜１１ｇが配置されている。また、器具は、個体情報を有している。第１記憶部１０１には、器具の個体情報と器具ＩＤとセットＩＤとが関連付けて記憶されている。器具や手術セットの作業情報は、リーダー１１ａ〜１１ｇによって個体情報が読み込まれ、器具や手術セットが特定された上で入力されるとよい。
【００６７】
〈第５処理部２０５〉
この実施形態では、第５処理部２０５は、リーダー１１ａ〜１１ｇによって個体情報が検知された際に個体情報によって器具ＩＤが特定され、かつ、器具ＩＤと、器具ＩＤで特定される器具に対して実施された作業情報および作業時間と、ユーザーＩＤとが関連付けられて、第３記憶部１０３に記憶するように構成されているとよい。また、第５処理部２０５は、リーダー１１ａ〜１１ｇによって個体情報が検知された際にセットＩＤが特定されるように構成されていてもよい。この場合、当該特定されたセットＩＤに関連付けて手術セットに施された作業の情報が手術セットの作業履歴に加えられるように構成されているとよい。この場合、システム１０では、リーダー１１ａ〜１１ｇによって個体情報が検知された際に、個体情報によって器具ＩＤとセットＩＤとを特定される。このため、同じ器具や手術セットが複数管理されている場合でも、個体を特定して器具や手術セットの作業情報を入力することができる。
【００６８】
図２に示されているように、システム１０では、各エリアＡ１〜Ａ７にリーダー１１ａ〜１１ｇが配置されている。そして、リーダー１１ａ〜１１ｇによって、作業者に配布されたネームタグなどに付けられた二次元コードや、作業者個人の生体認証などを通じてユーザーＩＤが特定されるように構成されているとよい。
また、リーダー１１ａ〜１１ｇによって、手術器具の個体情報が検知され、個体情報によって器具ＩＤが特定される。
【００６９】
各エリアＡ１〜Ａ７において、リーダー１１ａ〜１１ｇによってユーザーＩＤや器具ＩＤが読み取られる。そして、読み取られた器具ＩＤと、器具ＩＤで特定される器具に対して実施された作業情報および作業時間と、ユーザーＩＤとが関連付けられて第３記憶部１０３に記憶されるように構成されているとよい。
このように、リーダー１１ａ〜１１ｇを介して手術器具や作業時刻が特定されるので、手術器具に実施された作業情報や作業時間の入力がより確実に行われる。なお、各エリアＡ１〜Ａ７では、操作端末１３ａ〜１３ｇによって、作業者が作業情報または作業情報の一部を手入力するように構成されていてもよい。
作業情報は、各エリアＡ１〜Ａ７において、記録される情報は異なりうるが、例えば、所定のフォーマットで記録されるように構成されているとよい。また、各エリアＡ１〜Ａ７において記録された作業情報は所定の項目について統合できるように構成されているとよい。
【００７０】
〈手術エリアＡ１の作業情報〉
手術エリアＡ１では、例えば、保管されている器具や手術セットが手術エリアＡ１に搬入された際に、リーダー１１ａによって、個体情報が検知され、器具ＩＤやセットＩＤが特定される。そして、器具ＩＤやセットＩＤに関連付けて、搬入された日時や使用された際の情報が記録される。また、手術エリアＡ１で記憶される作業情報には、例えば、医師などの使用者（作業者）や患者や患者のカルテ番号や手術や診療番号などが含まれていてもよい。これにより、器具や手術セットがどのような手術に使われたかの作業履歴がシステム１０において記憶される。器具や手術セットの作業履歴で追跡可能な情報量が多くなる。また、既存の電子カルテの情報が、手術エリアＡ１での作業情報としてこのシステム１０に取り込まれてもよい。また、手術で使用された器具や手術セットの器具ＩＤやセットＩＤが既存の電子カルテに書き込まれてもよい。このように既存の電子カルテと、このシステム１０とが連携するようにシステムが相互に構築されてもよい。
【００７１】
〈回収エリアＡ２の作業情報〉
回収エリアＡ２には、例えば、手術エリアＡ１で使用された器具や手術セットが持ち込まれる。回収エリアＡ２では、例えば、リーダー１１ｂによって、個体情報が検知され、器具ＩＤやセットＩＤが特定される。回収エリアＡ２で記憶される情報には、例えば、回収された日時や、回収作業を実施した作業者のユーザーＩＤなどの情報が含まれうる。
【００７２】
回収エリアＡ２では、例えば、手術セットに含まれる器具の一覧が表示装置１２ｂに表示されるとよい。そして、リーダー１１ｂによって、手術セットに含まれる器具の個体情報が検知しつつ器具が回収されるとよい。そして、手術セットに含まれる器具の個体情報が検知されて器具が表示装置１２ｂにおいて特定されるように構成されているとよい。さらに、回収作業において作業者が表示装置１２ｂに表示された器具を指定すると、例えば、当該手術セットに含まれる器具の一覧から当該個体情報が検知された器具の表示が暗くなるように構成されているとよい。この場合、表示装置１２ｂは、例えば、タッチパネルで構成されているとよい。作業者は表示装置１２ｂの画面において、表示された器具の一覧から回収する器具（換言すると、個体情報で特定された器具）に触れると当該器具の表示が変更されるように構成されているとよい。このような処理によって、当該器具が回収されたことが作業者において容易に視認できるようになっているとよい。そして、手術エリアＡ１で使用された手術セットに含まれる全ての器具が回収エリアＡ２において回収されることによって、当該手術セットの回収が終了する。この際、表示装置１２ｂにおいて、当該手術セットの表示が暗く表示されたり、回収終了を意味するアイコンが表示されたりするなどして、当該器具が回収されたことが作業者において容易に視認できるようになっているとよい。
【００７３】
〈洗浄エリアＡ３の作業情報〉
洗浄エリアＡ３では、例えば、リーダー１１ｃによって、手術セットに含まれる器具の個体情報が検知されると、器具ＩＤが特定される。かかる特定された器具ＩＤに関連付けて、洗浄エリアＡ３での作業情報が記憶されるとよい。洗浄エリアＡ３での作業情報には、例えば、洗浄に用いられた洗浄機や洗剤など洗浄方法の情報が含まれうる。また、洗浄エリアＡ３では、洗浄作業の作業者を特定するユーザーＩＤが作業情報に関連付けて記憶されるとよい。
【００７４】
また、このシステム１０において器具ＩＤと洗浄方法とが予め関連付けて記憶されているとよい。この場合、リーダー１１ｃによって、手術セットに含まれる器具の個体情報が検知されると、洗浄エリアＡ３の表示装置１２ｃにおいて、当該特定された器具ＩＤに基づいて、当該器具に必要な洗浄処理が画面上表示されるように構成されていてもよい。リーダー１１ｃによって器具ＩＤが特定されるので、器具を取り違えて洗浄処理が行われたり、器具を取り違えて作業情報が入力されたりすることが生じにくい。リーダー１１ｃは、例えば、洗浄機に設けられていてもよい。この場合、器具の個体情報を読み取りつつ、洗浄機に器具を投入するようにしてもよい。また、洗浄機に設定された洗浄条件などの情報が、作業情報として記録されるとよい。ここで、洗浄方法には、用手洗浄、単層式自動洗浄、多層式自動洗浄、超音波洗浄、薬品洗浄などが挙げられ、それぞれ所定の洗浄機や洗剤が所定の方法で用いられるとよい。
【００７５】
また、手術エリアＡ１での作業情報として既存の電子カルテの情報が取り込まれてもよい。この場合、患者や手術の情報に関連付けて器具の洗浄方法や滅菌方法が予めマスターデータに記憶されているとよい。これにより、手術エリアＡ１での作業情報に含まれる患者や手術の情報と、マスターデータに基づいて、適宜に、器具に必要な洗浄方法が特定されるように構築されていてもよい。これにより、電子カルテの情報に基づいて器具や手術セットに特別な洗浄が必要になる場合には、その洗浄方法が特定されるようにシステム１０が構築されるとよい。同様に、滅菌エリアＡ５では、電子カルテの情報に基づいて器具や手術セットに特別な滅菌が必要になる場合には、その滅菌方法が特定されるようにシステム１０が構築されているとよい。
【００７６】
〈組立エリアＡ４の作業情報〉
組立エリアＡ４では、洗浄された部品から器具が組立てられたり、手術セットに含まれる器具が集められて手術セットとして一纏めにされたりする。器具が組立てられるときには、必要な潤滑油などが塗布されたりする。
【００７７】
組立エリアＡ４では、例えば、リーダー１１ｄによって、手術セットに含まれる器具の個体情報が検知されると、当該器具ＩＤと手術セットのセットＩＤとが特定される。そして、手術セットに含まれる器具の一覧が表示される。また、この際、組立エリアＡ４で施す必要がある組立て作業が画面上表示されるとよい。例えば、器具の組み立ての際に塗布する潤滑油などが予め定められているような場合には、そのことが表示されるように構成されているとよい。
【００７８】
また、器具や手術セットは、所定の袋や容器に収容される。その際、梱包材や梱包方法などが合わせて記録されるとよい。ここで、梱包材には、不織布や滅菌バッグやコンテナやトレーなどがある。梱包方法としては不織布でくるんだり、滅菌バッグに収容したり、さらに不織布でくるんだ状態で滅菌バッグに収容することなどがある。手術セットに含まれるべき器具が全て含まれていることがチェックされつつ、梱包されるとよい。この際、表示装置１２ｄにおいて、手術セットに含まれる器具の一覧が表示され、器具が梱包されるにリーダー１１ｄによって器具の個体情報を検知しつつ、梱包されるとよい。そして、器具の一覧において梱包された器具の表示を変化させるとよい。梱包された器具の表示が表示装置１２ｄにおいて変化することによって、作業者は、梱包されていない器具を容易に確認できる。これによって、手術セットに含まれるべき器具が欠落したり、誤って他の器具が手術セットに入ったりするのが防止されうる。
【００７９】
器具や手術セットは、例えば、袋や容器に梱包されて密閉される。手術セットに含まれない器具は個品で梱包される。手術セットは、例えば、一纏めとして梱包される。梱包された袋や容器には、袋や容器を識別するための個体情報が付されているとよい。そして、当該袋や容器に付された個体情報と、収容された器具を特定するための器具ＩＤや手術セットを特定するためのセットＩＤが関連付けられて記憶されるとよい。例えば、梱包作業において、リーダー１１ｄで、袋や容器に付された個体情報と、袋や容器に収容する器具または手術セットの個体情報とを読み取りつつ、当該器具または手術セットを袋や容器に収容する。この際、システム１０は、袋や容器の個体情報と、収容された器具または手術セットの個体情報を関連付けて記憶するとよい。これにより、後工程において、袋や容器に付された個体情報に基づいて、収められた手術セットのセットＩＤや器具の器具ＩＤが特定されうる。
【００８０】
このように組立エリアＡ４では、例えば、リーダー１１ｃによって読み取られる袋や容器の個体情報に関連付けて、組立エリアＡ４での作業情報が記憶される。組立エリアＡ４での作業情報には、袋や容器に収容された器具の器具ＩＤや手術セットのセットＩＤ、作業者や組立作業においてリーダー１１ｃに個体情報が読み取られた日時などが含まれうる。また、併せて袋や容器の個体情報と、収容された器具または手術セットの個体情報が、関連付けて記憶されるとよい。さらに、組立エリアＡ４では、組立作業の作業者を特定するユーザーＩＤが作業情報に関連付けて記憶されるとよい。
【００８１】
〈滅菌エリアＡ５の作業情報〉
滅菌エリアＡ５では、器具や手術セットは袋や容器などの梱包材に収容された状態で取り扱われる。滅菌エリアＡ５では、例えば、リーダー１１ｅによって、袋や容器に付された個体情報が読み取られる。そして、当該個体情報に基づいて器具や手術セットが特定される。そして、当該器具や手術セットに予め定められた滅菌処理が施される。
【００８２】
この実施形態では、当該器具ＩＤやセットＩＤに関連付けて滅菌処理が予め記憶されたデータベースが予め用意されている。滅菌エリアＡ５では、リーダー１１ｅによって、袋や容器に付された個体情報が読み取られ、当該袋や容器に収容された器具の器具ＩＤや手術セットのセットＩＤが特定される。そして、当該器具ＩＤやセットＩＤに基づいて、滅菌エリアＡ５での滅菌処理が特定され、表示装置１２ｅにおいて表示されるようにシステム１０が構成されているとよい。
【００８３】
これにより、袋や容器に収容された器具や手術セットに施すべき滅菌処理が、作業者において容易に理解されるようになっているとよい。また、滅菌エリアＡ５では、例えば、オートクレーブのような滅菌処理機にリーダー１１ｅがさらに備え付けられているとよい。この場合、リーダー１１ｅで、袋や容器に付された個体情報を読み取ってから滅菌処理機に投入されるように構成されているとよい。これにより、予め定められた滅菌処理の条件（温度や処理時間）で滅菌処理が施されるように構成されているとよい。また、システム１０は、リーダー１１ｅによって袋や容器に付された個体情報が読み取られたときに、投入されるべき滅菌処理機や滅菌処理機に設定されている滅菌処理の条件が適当でない場合には、アラームが鳴るなどして、作業者のミスが防止されるように構成されていてもとよい。
【００８４】
かかる滅菌エリアＡ５では、例えば、リーダー１１ｄによって袋や容器に付された個体情報が読み取られる。そして、袋や容器に付された個体情報に関連付けられて器具ＩＤやセットＩＤが特定される。そして、袋や容器に付された個体情報や器具ＩＤやセットＩＤに関連付けて滅菌エリアＡ５での作業情報が記憶される。滅菌エリアＡ５での作業情報には、例えば、滅菌方法や滅菌処理の条件が含まれているとよい。具体的には、滅菌処理に用いられた滅菌処理機、滅菌の温度や処理時間などの条件、滅菌処理の終了日時などの情報がさらに含まれうる。また、滅菌エリアＡ５では、滅菌作業の作業者を特定するユーザーＩＤが作業情報に関連付けて記憶されるとよい。
【００８５】
〈保管エリアＡ６の作業情報〉
保管エリアＡ６では、滅菌後の器具や手術セットが保管される。保管エリアＡ６では、リーダー１１ｆによって、袋や容器に付された個体情報が読み取られる。そして、袋や容器に付された個体情報に関連付けて器具ＩＤやセットＩＤが特定される。収容された器具の器具ＩＤおよび手術セットのセットＩＤを特定した上で袋や容器を仕分けして適当な場所に保管するとよい。保管エリアＡ６で記録される作業情報には、例えば、器具や手術セットの保管場所や保管された日時などの情報が含まれているとよい。器具や手術セットの保管場所が記録されていることによって、器具や手術セットの取り出しが容易になる。また、保管された日時が記録されていることによって、器具や手術セットが保管エリアＡ６に保管されている期間が算出される。また、保管エリアＡ６に器具や手術セットを保管した作業者を特定するための作業者ＩＤが、器具や手術セットを保管した作業日時と関連付けられて記憶されているとよい。また、保管エリアＡ６から器具や手術セットを取り出した作業者を特定するための作業者ＩＤが、器具や手術セットを取り出した作業日時と関連付けられて記憶されているとよい。
【００８６】
〈リペアエリアＡ７の作業情報〉
リペアエリアＡ７では、器具や手術セットの修理や点検などが実施される。リペアエリアＡ７では、リーダー１１ｇによって、器具や手術セットの個体情報が特定され、器具ＩＤやセットＩＤが特定される。リペアエリアＡ７では、例えば、器具や手術セットに実施された修理や点検などの処置や器具や手術セットが搬入された日時や搬出された日時が記録される。さらに、リペアエリアＡ７で実施された作業内容、作業日時などが記録されるとよい。さらに、リペア作業が必要となった要因に関する情報が含まれていてもよい。
【００８７】
ここで、リペア作業が必要となった要因は、例えば、メスの刃こぼれや、鉗子などの噛み合わせ不良や可動部の引っ掛かり、錆びなどが記録される。さらに、鉗子などの噛み合わせ不良の要因などとして、経年使用、過度な力、落下、メッキ剥がれなどが記録されてもよい。なお、これらリペア作業が必要となった要因は、予め作成されたマスターデータにおいて適宜にコード化されているとよい。さらに、リペア作業の作業情報には、リペア作業に要するコストに関する情報が含まれていてもよい。リペア作業に要するコストとしては、例えば、リペア作業を委託した業者が請求した費用が記録されるとよい。
【００８８】
この場合、リペア作業を委託した業者において、作業内容や請求データが電子化されている場合には、システム１０は、リペア作業の作業情報として読取るように構成されていてもよい。また、リペア作業に要するコストが、器具や手術セット毎、あるいは、作業内容毎に単価が定められている場合には、単価がマスターデータとして記憶されているとよい。この場合、器具ＩＤやセットＩＤ、あるいは、作業内容が特定されると、リペア作業に要するコストが導き出されるように構成されていてもよい。
【００８９】
なお、上述のように、リペアエリアＡ７には、リーダー１１ｇや操作端末１３ｇが用意されない場合がある。この場合には、他のエリアのリーダー１１ａ〜１１ｆや操作端末１３ａ〜１３ｆによって、器具や手術セットが特定され、かつ、器具や手術セットに実施された修理や点検などの処置や器具や手術セットが搬入された日時や搬出された日時が記録されるように構成されているとよい。これらの情報は、例えば、リペアエリアＡ７に器具や手術セットを搬出した搬出元のエリアやリペアエリアＡ７から器具や手術セットが搬出される搬出先に設置されたリーダー１１や操作端末１３によって入力されるように構成されているとよい。
【００９０】
〈記録される作業情報の例〉
上述のように、記録される作業情報や記録される項目は、各エリアＡ１〜Ａ７によって異なる。システム１０の記憶装置には、例えば、各エリアＡ１〜Ａ７の作業情報を記憶するための予め定められたフォーマットのテーブル（情報記憶テーブル）が用意されているとよい。各エリアＡ１〜Ａ７の作業情報は、エリアＡ１〜Ａ７毎にそれぞれ用意されたテーブルの各フィールドにそれぞれ記憶されるとよい。
【００９１】
図５は、回収エリアＡ２での作業情報を記録したテーブル４２０を示す図である。図６は、滅菌エリアＡ５での作業情報を記録したテーブル４４０を示す図である。図７は、リペアエリアＡ７での作業情報を記録したテーブル４６０を示す図である。これらのテーブルは各エリアで記録される作業情報の一例を示している。
【００９２】
回収エリアＡ２では、例えば、手術セットの器具がばらばらの状態で手術エリアＡ１から回収される。回収エリアＡ２では、回収場所および作業者を特定し、リーダー１１ｂで器具に付された個体情報を読み取りつつ、回収するとよい。これにより、図５に示されたテーブル４２０のように、セットＩＤ、器具ＩＤ、部品ＩＤ、回収場所、作業者、作業日時に関する各欄４２１〜４２６に情報が入力される。なお、回収エリアＡ２で記録される作業情報の記録は、図５の例に限定されない。回収エリアＡ２で記録される作業情報の記録には、さらに詳細な情報が含まれうる。
【００９３】
滅菌エリアＡ５では、例えば、リーダー１１ｅで袋や容器に付与された個体情報が読み取られることによって、袋や容器に収容された手術セットのセットＩＤや器具の器具ＩＤが特定される。そして、滅菌エリアＡ５では、セットＩＤや器具ＩＤで特定された手術セットや器具に対して必要な滅菌方法や滅菌条件が滅菌処理機に設定される。そして、リーダー１１ｅで袋や容器に付与された個体情報が読みとりつつ、滅菌処理機に手術セットや器具をセットするとよい。例えば、滅菌処理では、適切な滅菌が施されたかインジケータが器具や手術セットを梱包した梱包材に取付けられることがある。この場合、インジケータは、所定の条件で色が変化したりする。滅菌エリアＡ５では、器具や手術セットにインジケータが取付けられるとよい。なお、インジケータは組立エリアＡ４で取り付けられてもよい。また、滅菌処理機から取り出される際も、袋や容器に付与された個体情報がリーダー１１ｅによって読み取られて滅菌処理の終了時刻が記録されるとよい。
【００９４】
これにより、図６に示されたテーブル４４０のように、セットＩＤ、器具ＩＤ、部品ＩＤ、梱包材、滅菌方法、滅菌条件、有効期間、作業者、作業日時に関する各欄４４１〜４４９に情報が入力される。なお、滅菌エリアＡ５で記録される作業情報の記録は、図６の例に限定されない。滅菌エリアＡ５で記録される作業情報の記録には、さらに詳細な情報が含まれうる。滅菌エリアＡ５での作業情報の記録として、例えば、滅菌処理後のインジケータの画像データが含まれていてもよい。
【００９５】
ここで、有効期間の欄４４７には、滅菌処理の効果が有効とされる期間が入力される。
滅菌処理の有効期間は、滅菌方法と滅菌条件とから有効期間が定まるように構成されていてもよい。この場合、滅菌方法と滅菌条件と有効期間との関係が、システム１０のマスターデータとして予め記録されていてもよい。また、滅菌処理の有効期間は、梱包方法と滅菌方法と滅菌条件とから有効期間が定まるように構成されていてもよい。この場合、梱包方法と滅菌方法と滅菌条件と有効期間との関係が、システム１０のマスターデータとして予め記録されているとよい。例えば、梱包方法と、滅菌方法と、滅菌条件とが、滅菌エリアＡ５で入力されると、マスターデータに基づいて有効期間が入力されるように構成されるとよい。
【００９６】
作業日時に関する欄４４９には、例えば、滅菌処理が終わり滅菌処理機から取り出される際に袋や容器に付与された個体情報がリーダー１１ｅによって読み取られた時の時刻が記録されるとよい。
【００９７】
リペアエリアＡ７では、例えば、図７に示されているように、リペアエリアＡ７に搬入された器具や手術セットについての器具ＩＤやセットＩＤ、および、リペアエリアＡ７に搬入された日時、リペアエリアＡ７での作業情報、作業者（ユーザーＩＤ）、リペアエリアＡ７で作業された日時、リペアエリアＡ７から搬出された日時、リペア作業が必要となった要因としてのリペア要因、リペア作業に要するコストが記録される各欄４６１〜４６９に情報が入力される。ここで例示される情報以外にも適宜に情報が入力されてもよい。
【００９８】
システム１０の処理装置１００には、各エリアＡ１〜Ａ７でのリーダー１１ａ〜１１ｇで読み取られた個体情報および個体情報に関連付けて記憶された作業情報が収集されるように構成されているとよい。これにより、このシステム１０で管理される器具や手術セットの各エリアＡ１〜Ａ７での情報が収集され、一元管理される。
【００９９】
このように、システム１０では、器具ＩＤと、器具ＩＤで特定される器具に対して実施された作業情報および作業時間と、ユーザーＩＤとが関連付けて記憶された第３記憶部１０３を備えているとよい。
ここで、第３記憶部１０３は、器具ＩＤと、器具ＩＤで特定される器具に対して実施された作業情報および作業時間と、ユーザーＩＤとが関連付けて記憶されているとよい。第３記憶部１０３は、１つのデータベースで構成されていなくてもよい。第３記憶部１０３は、例えば、図５〜図７に示されているような各エリアＡ１〜Ａ７で記憶されたユーザーＩＤ、作業時刻、作業情報を含むデータを記憶したデータベースのように、複数のデータベースを含むデータベース群として構成されてもよい。
【０１００】
〈システム１０の処理〉
システム１０は、例えば、以下のような処理部を備えているとよい。
【０１０１】
〈第１処理部２０１〉
第１処理部２０１は、第３記憶部１０３に記憶されたユーザーＩＤと作業時間に基づいて、予め定められた期間Ｚ１におけるユーザーＩＤで特定されるユーザーの作業情報を抽出する。
【０１０２】
例えば、予め定められた期間Ｚ１が直近の１週間として定められている場合には、システム１０は、第３記憶部１０３にデータからユーザーＩＤと作業時間に基づいて、直近の１週間において、ユーザーＩＤで特定されるユーザーの作業情報が抽出されるように構成されているとよい。ここで、予め定められた期間Ｚ１は、直近の１週間に限らず、直近の１月や１年、先週や先々週、先月や先々月など任意の期間に設定されうるように構成されているとよい。また、集計の開始日や終了日なども、直近に限らず任意に設定されうるように構成されているとよい。
【０１０３】
これにより、システム１０は、予め定められた期間におけるユーザーの作業内容が抽出されて提供することができる。この場合、第１処理部２０１は、予め定められた期間Ｚ１におけるユーザーの合計作業時間が得られるように構成されていてもよい。また、第１処理部２０１は、予め定められた期間Ｚ１におけるユーザー毎の作業時間の割合を得られるように構成されていてもよい。
【０１０４】
この実施形態では、システム１０は、期間Ｚ１を定めるように構成された第３処理部２０３を備えている。第３処理部２０３は、例えば、システム１０の利用者が表示装置において期間Ｚ１を入力できるように構成されているとよい。期間Ｚ１は、例えば、１ヶ月、３ヶ月、６ヶ月、１年と予め用意された期間を選択するものでもよいし、任意の期間が設定できるように構成されていてもよい。
【０１０５】
図８は、このシステム１０で提供されるダッシュボード（情報表示画面）を示す図である。
このシステム１０では、図８に示されているように、画面左側Ａ１の上段には設定された期間Ｚ１が２０１８／２／１〜２０１８／２／２８とされている。なお、当該部分で、期間Ｚ１が変更できるように構成されているとよい。図８では、第３記憶部１０３に記憶されたユーザーＩＤと作業時間に基づいて、２０１８年の２月の一ヶ月間におけるユーザーＩＤで特定されるユーザーの作業情報が抽出されている。
【０１０６】
図８に示されたダッシュボードでは、画面の左側Ａ１の下段には、システム１０に登録されている作業者（ユーザー）が列挙されている。画面中央の上段左側の円グラフＡ２には、外側に選択された４人の作業者（図８では、ユーザー９〜１２）の２月の一ヶ月間における作業時間の割合が第１の円グラフで示されている。第１の円グラフの内側には、選択された４人の作業者の２月の一ヶ月間における作業内容の割合（図８では、手術セットと単包の作業割合）が第２の円グラフで示されている。また、円グラフＡ２の中には、選択された４人の作業者の２０１８年の２月の一ヶ月間における合計作業時間が８０：５４：４６と表示されている。また、画面中央の上段中央の折れ線グラフＡ３は、２０１８年の２月の一ヶ月間における選択された４人の作業者の各日の合計作業時間が示されている。折れ線グラフＡ３は、４人の作業者毎に色分けされているとよい。また、画面中央の下段Ａ４には、各日の合計作業時間が集計されて表示されている。このように上述した第１処理部２０１の処理によって、このようなダッシュボードの各情報が取得されうる。なお、図８は、ダッシュボードの一例を示すに過ぎず、ダッシュボードのフォーマットおよび表示させる情報は、図８に限定されない。
【０１０７】
第１処理部２０１は、予め定められた期間Ｚ１におけるユーザーの作業工数がカウントされるように構成されていてもよい。この場合、予め定められた期間Ｚ１、例えば、２０１８年の２月の一ヶ月間、におけるユーザーＩＤで特定されるユーザーの作業情報の数がカウントされるように構成されているとよい。
【０１０８】
また、この実施形態では、システム１０は、図３に示されているように、第１記憶部１０１は、ユーザーの作業単価（４１５，４１６）を、ユーザーＩＤ（４１１）と関連付けてさらに記憶している。この実施形態では、第１処理部２０１は、第３記憶部１０３に記憶されたユーザーの作業情報と、第１記憶部１０１に記憶されたユーザーの作業単価とに基づいて、予め定められた期間Ｚ１におけるユーザーの作業コストを算出するように構成されている。この場合、例えば、図８に示された合計作業時間などから、２０１８年の２月の一ヶ月間のユーザーの合計の作業コストなどが算出されうる。期間Ｚ１における、ユーザーの合計の作業コストは、例えば、ユーザー（作業者）の生産性を評価する指標として提供されうる。
【０１０９】
第１処理部２０１で抽出されうる種々のデータの、それぞれ予め定められた期間Ｚ１内の推移は、図８に示されているように、折れ線グラフなどのグラフで表されうる。
【０１１０】
〈第２処理部２０２〉
第２処理部２０２は、セットＩＤで特定される手術セットを構成する器具に対して実施された作業情報を抽出するように構成されている。ここでは、例えば、図４に示されているように、複数の器具で構成された手術セットに一対一で関連付けられたセットＩＤと、手術セットを構成する器具ＩＤとが関連付けて記憶されている。第２処理部２０２によれば、手術セット単位での作業情報が抽出される。
【０１１１】
第２処理部２０２は、例えば、予め定められた期間Ｚ１における、セットＩＤで特定される手術セットに対するユーザーの作業時間を得るように構成されているとよい。
これにより、例えば、回収エリアＡ２では、１つの手術セットが回収されるのに要するユーザーの作業時間が得られる。また、組立エリアＡ４では、１つの手術セットが組立てられるのに要するユーザーの作業時間が得られる。
【０１１２】
第２処理部２０２は、手術セットに対するユーザーの作業情報とユーザーの作業単価とに基づいて、予め定められた期間Ｚ１における手術セットに対する作業コストを算出するように構成されていてもよい。これにより、１つの手術セットに対する作業コスト（人件費に相当）が算出される。
【０１１３】
第５記憶部１０５は、作業情報と、委託単価とを関連付けて記憶している。図９は、外部委託者と、委託作業情報と、委託単価とが関連付けられて予め記憶されたマスターデータの構成例を示す図である。第５記憶部１０５としては、例えば、図９に示されているようなマスターデータが用意されているとよい。図９に示す例では、委託業者を特定するための委託業者ＩＤを記録する欄５０１，委託業者を記録する欄５０２，委託作業を記録する欄５０３，作業単価を記録する欄５０４が用意されている。この場合、委託する業者と、委託する作業に応じて作業単価が特定されるように構成されている。なお、第５記憶部１０５に応じたマスターデータのフォーマットは上記に限らず、委託する委託作業の条件がより細かく設定されていてもよい。委託する手術セットの種類毎に作業単価が予め定められていてもよい。
【０１１４】
第４処理部２０４は、作業情報と、委託単価とに基づいて、作業情報で特定される作業の委託コストを得るように構成されている。例えば、第１処理部２０１によって、予め定められた期間Ｚ１におけるユーザーＩＤで特定されるユーザーの作業情報を抽出される。
第４処理部２０４は、例えば、第１処理部２０１で得られたユーザーの作業情報と委託単価とに基づいて、予め定められた期間Ｚ１におけるユーザーの作業情報に応じた委託コストを算出するように構成されているとよい。このように、第４処理部２０４では、第１処理部２０１で抽出されたユーザーの作業情報に基づいて、これに応じた作業が外部の委託業者に委託された場合の委託コストを算出することができる。
【０１１５】
この場合、さらに手術セットを構成する器具に対して実施された作業情報と委託単価とに基づいて、予め定められた期間Ｚ１における手術セットの委託コストを算出するように構成されているとよい。手術セットの委託コストは、例えば、予め定められた期間Ｚ１における当該手術セットに対するユーザーの作業情報と、委託単価とに基づいて算出されるとよい。
このような処理によって、ユーザーの作業コストと対比されうる、外部委託した場合の委託コストが提供されうる。
【０１１６】
また、この実施形態では、第３記憶部１０３で記憶される手術器具に対して実施される作業の情報には、上述のように手術、回収、洗浄、組立、滅菌、保管、リペアの各工程に区分された作業情報が含まれているとよい。なお、この実施形態では、手術やリペアの工程の作業情報も含まれている。
【０１１７】
第６処理部２０６は、特定の作業エリアでの作業を抽出するように構成されている。これにより、第３記憶部１０３に記憶された情報に基づいて、回収、洗浄、組立、滅菌、保管、リペアのように区分された工程毎に作業情報が抽出されうる。このような処理によって、例えば、期間Ｚ１における特定の作業エリアでのユーザーの作業量が抽出されうる。例えば、組立エリアＡ４で、予め定められた期間Ｚ１に抽出されたユーザーの作業量は、組立作業におけるユーザー（作業者）の生産性や熟練度を評価する指標として提供されうる。
【０１１８】
この場合、第１処理部２０１は、工程毎に、予め定められた期間Ｚ１におけるユーザーＩＤで特定されるユーザーの作業情報を抽出するように構成されているとよい。この場合、工程毎に、予め定められた期間Ｚ１における特定のユーザーの作業情報が抽出される。このため、工程毎にユーザーの生産性や作業の習熟度を測る指標が提供されうる。
【０１１９】
第１処理部２０１は、単位時間毎の作業数を得るように構成されているとよい。この場合、単位時間毎の作業の集中の度合いを把握しうるデータが選られうる。例えば、単位時間毎の作業数がグラフ化されるとよい。図１０は、単位時間毎の作業数をグラフ化したグラフを含む情報表示画面５２０である。
【０１２０】
図１０では、左端の欄５２１に登録されている施設が列挙されている。中央部５２２には、登録されている施設のうち選択された施設（図１０では、施設１，３）について、施設毎に単位時間毎に得られた作業数に応じて色分けされた帯状のグラフが示されている。ここでは、左端の欄５２１で選択された施設１，３の項目５２１ａ，５２１ｂについて画面上色が変化するように構成されている。これにより、選択された施設１，３が容易に判別される。中央部５２２には、選択された施設１，３について、一日の時間帯毎の作業数に応じて色分けされた帯状のグラフが、日ごとに示されている。例えば、作業数が得られない時間帯と、作業数が得られた時間帯と、作業の集中度が高い時間帯とで、帯の色が分けられているとよい。例えば、作業の集中度が高い時間帯ほど帯の色が濃くなるように色分けされているとよい。なお、図１０では、模式的なものであり、中央の帯状のグラフが各日ともに共通しているが、実際には、施設１，３での作業の集中度合いにより、帯状のグラフが具体的に変化する。
【０１２１】
ここで、作業数に予め閾値が設定されているとよく、予め定められた閾値よりも作業数が多い時間帯は、作業の集中度が高い時間帯とされている。なお、単位時間毎の作業数のグラフ化は、例えば、時間帯毎に得られた作業数に基づいて、棒グラフや折れ線グラフで表したりしてもよい。また、施設毎に作業数を得ているが、作業エリア毎に作業数をえてもよい。これにより、施設毎や作業エリア毎に作業の集中する時間帯を把握するためのデータが提供されうる。このようにして提供されたデータが利用されることによって、手術器具の管理する部署において、作業者の配置や時間帯毎の人数などがより適切に調整されるようになる。
【０１２２】
ここでシステム１０は、処理装置１００に情報が集約されて所定の処理がされる。各操作端末１３ａ〜１３ｇは、同様に処理装置１００から情報を得て、処理装置１００と同様の処理が行えるようにしてもよい。つまり、操作端末１３ａ〜１３ｇは、それぞれ単独でシステム１０としての機能を奏するように構成されていてもよい。また、操作端末１３ａ〜１３ｇは、処理装置１００と双方向に通信して連携し、処理装置１００で演算された結果を受けて操作端末１３ａ〜１３ｇに所要の情報が表示されるようにしてもよい。また、クライアント端末としての操作端末１３ａ〜１３ｇは、カメラ付きのタブレット端末で構成されてもよい。この場合、タブレット端末に備え付けられたカメラが、リーダー１１ａ〜１１ｇの検知部として機能するように構成されてもよい。また、タブレット端末の画面が、表示装置１２ａ〜１２ｈとして機能するように構成されてもよい。
【０１２３】
また、このシステム１０では、複数の病院で使われる手術セットや器具に関する情報を処理装置１００に集約するなどして纏めて管理することが可能である。この場合、各病院に手術エリアＡ１や回収エリアＡ２などが設置される。システム１０では、各エリアＡ１〜Ａ７の操作端末１３ａ〜１３ｇや処理装置１００は、通信ネットワーク１４を通じて双方向通信可能に接続されているとよい。
【０１２４】
また、例えば、図１や図２に示されているように、通信ネットワーク１４を通じてシステム１０に外部端末２１が接続されているとよい。例えば、クラウドコンピューティング技術によって、このシステム１０で提供されうる情報が、システム１０に接続された外部端末２１によって利用可能に提供されるとよい。
【０１２５】
外部端末２１は、各エリアＡ１〜Ａ７に設置されない端末でありうる。例えば、手術や回収などの作業を行わない、病院の事務管理、経理、在庫管理、または、器具や手術セットの調達を行う部署などに設置された端末などからシステム１０にアクセスでき、システム１０で管理される器具や手術セットの情報が取得されうる。また、外部端末２１は、スマートフォンやタブレットやラップトップパソコンなど、通信ネットワーク１４に接続可能な携帯端末であり得る。この場合、任意の場所からシステム１０にアクセスすることができ、システム１０で管理される器具や手術セットやユーザーの情報が取得されうる。
【０１２６】
システム１０は、外部端末２１に対する所要の認証処理や機能を制限処理が適宜に組み込まれていてもよい。この場合、システム１０は、外部端末２１にインストールされているウェブブラウザによって閲覧可能なウエブサイトを用意するように構成されているよい。システム１０は、用意されたウエブサイトを通じて外部端末２１の認証処理が行われたり、外部端末２１からの要求に応じて所定のサービスが提供されたりするように構成されているとよい。
【０１２７】
このようにシステム１０は、システム１０で提供しうる種々のデータが、通信ネットワーク１４を介して接続された外部端末２１からの要求に応じて、外部端末２１に表示されるように構成されうる。システム１０で提供しうる種々のデータは、ここで例示されるものに限らない。システム１０の記憶装置に記憶された情報、システム１０の各種処理によって演算あるいは抽出された情報、あるいは、作成されたグラフや一覧表は、システム１０で提供しうるデータになり得る。
【０１２８】
以上の通りに、ここで提案される手術器具の管理システムの一実施形態を種々説明したが、ここで提案される手術器具の管理システムは、上述した実施形態に限定されない。また、ここで提案される手術器具の管理システムは、種々変更でき、特段の問題が生じない限りにおいて、各構成要素やここで言及された各処理は適宜に省略され、または、適宜に組み合わされうる。
【符号の説明】
【０１２９】
１０  手術器具の管理システム
１１ａ-１１ｇ  リーダー
１２ａ-１２ｇ  ディスプレイ
１２ａ-１２ｈ  表示装置
１３ａ-１３ｇ  操作端末
１４  通信ネットワーク
２１  外部端末
１００  処理装置
【図１】
2020024502.tif 000003
【図２】
2020024502.tif 000004
【図３】
2020024502.tif 000005
【図４】
2020024502.tif 000006
【図５】
2020024502.tif 000007
【図６】
2020024502.tif 000008
【図７】
2020024502.tif 000009
【図８】
2020024502.tif 000010
【図９】
2020024502.tif 000011
【図１０】
2020024502.tif 000012